(57)【要約】【課題】自由な場所から各電源スイッチを制御できる建設現場仮設分電盤遠隔電源スイッチ管理システムを提供する。【解決手段】  建設現場仮設分電盤遠隔電源スイッチ管理システムにおいて、電源スイッチ管理サーバ１０は、１以上の電源スイッチ４１のオンオフを制御する１以上のスイッチ制御装置２０と通信可能であるとともに、電源スイッチ４１の遠隔操作に関わる指示を送信する１以上の携帯装置３０と通信可能な通信部１０１と、携帯装置３０から受信した指示に応じて、電源スイッチ４１をオンオフさせる制御信号をスイッチ制御装置２０に送信する制御部１０４とを有する。【選択図】図１
2020088733.tif 000002
【特許請求の範囲】
【請求項１】
１以上の電源スイッチのオンオフを制御する１以上のスイッチ制御装置と通信可能であるとともに、前記電源スイッチの遠隔操作に関わる指示を送信する１以上の携帯装置と通信可能な通信部と、
前記携帯装置から受信した前記指示に応じて、前記電源スイッチをオンオフさせる制御信号を前記スイッチ制御装置に送信する制御部と
を有する電源スイッチ管理サーバ。
【請求項２】
前記制御部は、
複数の前記電源スイッチからなるグループを一括して制御する前記指示を前記携帯装置から受信した場合、前記グループに属する各前記電源スイッチをオンオフさせる前記制御信号を１以上の前記スイッチ制御装置に送信するグループ制御、
及び、
前記携帯装置から受信した前記指示に基づいて設定された時間の条件を満たしたか否か判定し、前記条件を満たした場合、１以上の前記電源スイッチをオンオフさせる前記制御信号を１以上の前記スイッチ制御装置に送信する条件制御
の少なくとも一方を行う
請求項１に記載の電源スイッチ管理サーバ。
【請求項３】
各前記電源スイッチのオンオフ状態を登録した電源スイッチ管理テーブルを記憶する記憶部を有し、
前記制御部は、前記電源スイッチのオンオフ状態を通知する状態通知信号を前記スイッチ制御装置から受信した場合、前記状態通知信号が示す前記電源スイッチのオンオフ状態に応じて、前記電源スイッチ管理テーブルに登録された前記電源スイッチのオンオフ状態を更新する、
請求項２に記載の電源スイッチ管理サーバ。
【請求項４】
前記制御部は、１以上の前記電源スイッチのオンオフ状態に関する情報を要求する要求信号を前記携帯装置から受信した場合、当該要求信号において要求された情報を前記電源スイッチ管理テーブルから取得し、要求元の前記携帯装置へ送信する、
請求項３に記載の電源スイッチ管理サーバ。
【請求項５】
前記電源スイッチ管理テーブルは、前記電源スイッチの識別情報に関連付けられた位置情報を含んでおり、
前記制御部は、１つの前記携帯装置の位置を通知する位置通知信号を受信した場合、当該位置通知信号が示す当該１つの携帯装置の位置が前記電源スイッチ管理テーブルに登録される前記位置情報において指定された範囲に含まれるならば、当該位置情報に関連付けられた前記識別情報に対応する前記電源スイッチに関する情報を電源スイッチ情報として当該１つの携帯装置に送信する、
請求項４に記載の電源スイッチ管理サーバ。
【請求項６】
前記制御部は、１以上の前記電源スイッチに関する前記電源スイッチ情報を１つの前記携帯装置に送信する場合、当該１以上の電源スイッチのオンオフ状態に関する情報を前記電源スイッチ管理テーブルから取得し、当該取得した情報が含まれた前記電源スイッチ情報を送信する、
請求項５に記載の電源スイッチ管理サーバ。
【請求項７】
前記制御部は、前記携帯装置から受信した前記指示に応じて１以上の前記電源スイッチのオンオフ状態を所望の状態に設定する場合、当該１以上の電源スイッチについて前記電源スイッチ管理テーブルに登録されたオンオフ状態と、当該１以上の電源スイッチに設定するオンオフ状態とを比較し、当該比較の結果に基づいて、当該１以上の電源スイッチの中からオンオフ状態を反転すべき前記電源スイッチを特定し、当該特定した電源スイッチのオンオフ状態の反転を指示する前記制御信号を、当該特定した電源スイッチの制御を行う１以上の前記スイッチ制御装置へ送信する、
請求項３〜６のいずれか一項に記載の電源スイッチ管理サーバ。
【請求項８】
前記制御部は、
前記電源スイッチのオンオフ状態の反転を指示する前記制御信号を１つの前記スイッチ制御装置に送信した場合、当該制御信号を送信した後の所定の監視期間において、前記電源スイッチのオンオフ状態を反転させたことに伴って当該１のスイッチ制御装置から送信されるべき前記状態通知信号の受信を監視し、
当該１のスイッチ制御装置から送信されるべき前記状態通知信号が前記監視期間において受信されなかった場合、当該１のスイッチ制御装置が前記制御信号に対して未応答であると判定する、
請求項７に記載の電源スイッチ管理サーバ。
【請求項９】
前記制御部は、１つの前記スイッチ制御装置から前記監視期間以外の期間に前記状態通知信号を受信した場合、前記制御信号以外の要因で前記電源スイッチのオンオフ状態が反転したと判定する、
請求項８に記載の電源スイッチ管理サーバ。
【請求項１０】
前記制御部は、１つの前記スイッチ制御装置から前記監視期間以外の期間に前記状態通知信号を受信した場合、
前記電源スイッチのオンオフ状態が手動操作により反転したことを示す手動操作情報が前記状態通知信号に含まれているならば、前記電源スイッチのオンオフ状態が手動操作により反転したと判定し、
前記手動操作情報が前記状態通知信号に含まれていないならば、手動操作以外の要因で前記電源スイッチのオンオフ状態が反転したと判定する、
請求項９に記載の電源スイッチ管理サーバ。
【請求項１１】
請求項１〜１０のいずれか一項に記載の電源スイッチ管理サーバが有する１以上のコンピュータを前記制御部として機能させるためのプログラム。
【請求項１２】
１以上の電源スイッチのオンオフを制御するスイッチ制御装置であって、
サーバと通信可能な通信部と、
前記１以上の電源スイッチのオンオフ状態を示す状態信号を入力する入力部と、
前記１以上の電源スイッチをオンオフさせるための駆動信号を出力する出力部と、
１つの前記電源スイッチのオンオフ状態を反転するように指示する前記サーバからの制御信号を前記通信部において受信した場合、当該１つの電源スイッチのオンオフ状態を反転させる前記駆動信号を前記出力部から出力する制御部と、
前記入力部において入力される前記状態信号を記憶する記憶部とを有し、
前記制御部は、前記入力部において前記状態信号を反復的に入力し、当該入力した状態信号と前記記憶部に記憶される前記状態信号とを比較し、当該入力した状態信号と前記記憶される状態信号とが不一致の場合、前記記憶される状態信号を当該入力した状態信号によって更新するとともに、当該更新後の状態信号に基づいて、前記１以上の電源スイッチのオンオフ状態を示す状態通知信号を生成し、生成した状態通知信号を前記通信部から前記サーバへ送信する、
スイッチ制御装置。
【請求項１３】
前記制御部は、前記制御信号の受信に伴って前記出力部から前記駆動信号を出力した駆動信号出力回数と、前記入力部から入力した前記状態信号と前記記憶部に記憶される前記状態信号との不一致が生じた不一致発生回数との差を監視し、前記不一致発生回数が前記駆動信号出力回数に比べて多い場合、前記電源スイッチのオンオフ状態が手動操作により反転したことを示す手動操作情報を含んだ前記状態通知信号を前記通信部から前記サーバへ送信し、当該差をゼロにリセットする、
請求項１２に記載のスイッチ制御装置。
【請求項１４】
請求項１２又は１３に記載のスイッチ制御装置が有する１以上のコンピュータを前記制御部として機能させるためのプログラム。
【発明の詳細な説明】
【技術分野】
【０００１】
本発明は、建設現場等の電源スイッチのオンオフ状態の管理に関わる処理を行う電源スイッチ管理サーバ、電源スイッチを制御するスイッチ制御装置、及び、それらの処理を実行するコンピュータのプログラムに関するものである。
【背景技術】
【０００２】
建設現場において複数の離れた場所に照明等の電源スイッチ（建設現場仮設分電盤遠隔電源スイッチ管理システム）が設置されている場合、各電源スイッチのオンオフの管理を人手で行うのは大きな労力を要する。例えば、朝晩に、全ての電源スイッチをオン、あるいはオフにするために、１時間以上を要する場合もある。そのため、施設内の１つの場所で各電源スイッチを集中的に制御・管理できるようにした電源設備を設けることがある。
【発明の概要】
【発明が解決しようとする課題】
【０００３】
しかしながら、施設内の設備として設けられた電源スイッチの制御システムでは、例えば施設から離れた遠隔地など、自由な場所から各電源スイッチを集中的に制御することができないという問題がある。
【０００４】
本発明はかかる事情に鑑みてなされたものであり、その目的は、自由な場所から各電源スイッチを制御できる電源スイッチ管理サーバとそのプログラム、並びに、そのようなサーバからの信号に従って電源スイッチを制御するスイッチ制御装置とそのプログラムを提供することにある。
さらに、電源スイッチをグループ化して管理することができなかった。
【課題を解決するための手段】
【０００５】
本発明の第１の態様に係る電源スイッチ管理サーバは、１以上の電源スイッチのオンオフを制御する１以上のスイッチ制御装置と通信可能であるとともに、電源スイッチの遠隔操作に関わる指示を送信する１以上の携帯装置と通信可能な通信部と、携帯装置から受信した指示に応じて、電源スイッチをオンオフさせる制御信号をスイッチ制御装置に送信する制御部とを有する。
この構成によれば、１以上の電源スイッチの遠隔操作に関わる指示が携帯装置から電源スイッチ管理サーバへ送信されると、この指示に応じた制御信号が電源スイッチ管理サーバから１以上のスイッチ制御装置に送信され、この制御信号を受信したスイッチ制御装置によって電源スイッチのオンオフが制御される。従って、自由な場所から携帯装置を用いて１以上の電源スイッチのオンオフを制御することが可能となる。
【０００６】
好適に、制御部は、複数の電源スイッチからなるグループを一括して制御する指示を携帯装置から受信した場合、グループに属する各電源スイッチをオンオフさせる制御信号を１以上のスイッチ制御装置に送信するグループ制御、及び、携帯装置から受信した指示に基づいて設定された時間の条件を満たしたか否か判定し、条件を満たした場合、１以上の電源スイッチをオンオフさせる制御信号を１以上のスイッチ制御装置に送信する条件制御の少なくとも一方を行う。
【０００７】
好適に、上記電源スイッチ管理サーバは、各電源スイッチのオンオフ状態を登録した電源スイッチ管理テーブルを記憶する記憶部を有し、制御部は、電源スイッチのオンオフ状態を通知する状態通知信号をスイッチ制御装置から受信した場合、状態通知信号が示す電源スイッチのオンオフ状態に応じて、電源スイッチ管理テーブルに登録された電源スイッチのオンオフ状態を更新する。
【０００８】
好適に、制御部は、１以上の電源スイッチのオンオフ状態に関する情報を要求する要求信号を携帯装置から受信した場合、当該要求信号において要求された情報を電源スイッチ管理テーブルから取得し、要求元の携帯装置へ送信する。
【０００９】
好適に、電源スイッチ管理テーブルは、電源スイッチの識別情報に関連付けられた位置情報を含んでおり、制御部は、１つの携帯装置の位置を通知する位置通知信号を受信した場合、当該位置通知信号が示す当該１つの携帯装置の位置が電源スイッチ管理テーブルに登録される位置情報において指定された範囲に含まれるならば、当該位置情報に関連付けられた識別情報に対応する電源スイッチに関する情報を電源スイッチ情報として当該１つの携帯装置に送信する。
【００１０】
好適に、制御部は、１以上の電源スイッチに関する電源スイッチ情報を１つの携帯装置に送信する場合、当該１以上の電源スイッチのオンオフ状態に関する情報を電源スイッチ管理テーブルから取得し、当該取得した情報が含まれた電源スイッチ情報を送信する。
【００１１】
好適に、制御部は、携帯装置から受信した指示に応じて１以上の電源スイッチのオンオフ状態を所望の状態に設定する場合、当該１以上の電源スイッチについて電源スイッチ管理テーブルに登録されたオンオフ状態と、当該１以上の電源スイッチに設定するオンオフ状態とを比較し、当該比較の結果に基づいて、当該１以上の電源スイッチの中からオンオフ状態を反転すべき電源スイッチを特定し、当該特定した電源スイッチのオンオフ状態の反転を指示する制御信号を、当該特定した電源スイッチの制御を行う１以上のスイッチ制御装置へ送信する。
【００１２】
好適に、制御部は、電源スイッチのオンオフ状態の反転を指示する制御信号を１つのスイッチ制御装置に送信した場合、当該制御信号を送信した後の所定の監視期間において、電源スイッチのオンオフ状態を反転させたことに伴って当該１のスイッチ制御装置から送信されるべき状態通知信号の受信を監視し、当該１のスイッチ制御装置から送信されるべき状態通知信号が監視期間において受信されなかった場合、当該１のスイッチ制御装置が制御信号に対して未応答であると判定する。
【００１３】
好適に、制御部は、１つのスイッチ制御装置から監視期間以外の期間に状態通知信号を受信した場合、制御信号以外の要因で電源スイッチのオンオフ状態が反転したと判定する。
【００１４】
好適に、制御部は、１つのスイッチ制御装置から監視期間以外の期間に状態通知信号を受信した場合、電源スイッチのオンオフ状態が手動操作により反転したことを示す手動操作情報が状態通知信号に含まれているならば、電源スイッチのオンオフ状態が手動操作により反転したと判定し、手動操作情報が状態通知信号に含まれていないならば、手動操作以外の要因で電源スイッチのオンオフ状態が反転したと判定する。
【００１５】
本発明の第２の態様は、上記電源スイッチ管理サーバが有する１以上のコンピュータを制御部として機能させるためのプログラムに関する。
【００１６】
本発明の第３の態様は、１以上の電源スイッチのオンオフを制御するスイッチ制御装置であって、サーバと通信可能な通信部と、１以上の電源スイッチのオンオフ状態を示す状態信号を入力する入力部と、１以上の電源スイッチをオンオフさせるための駆動信号を出力する出力部と、１つの電源スイッチのオンオフ状態を反転するように指示するサーバからの制御信号を通信部において受信した場合、当該１つの電源スイッチのオンオフ状態を反転させる駆動信号を出力部から出力する制御部と、入力部において入力される状態信号を記憶する記憶部とを有する。制御部は、入力部において状態信号を反復的に入力し、当該入力した状態信号と記憶部に記憶される状態信号とを比較し、当該入力した状態信号と記憶される状態信号とが不一致の場合、記憶される状態信号を当該入力した状態信号によって更新するとともに、当該更新後の状態信号に基づいて、１以上の電源スイッチのオンオフ状態を示す状態通知信号を生成し、生成した状態通知信号を通信部からサーバへ送信する。
【００１７】
好適に、制御部は、制御信号の受信に伴って出力部から駆動信号を出力した駆動信号出力回数と、入力部から入力した状態信号と記憶部に記憶される状態信号との不一致が生じた不一致発生回数との差を監視し、不一致発生回数が駆動信号出力回数に比べて多い場合、電源スイッチのオンオフ状態が手動操作により反転したことを示す手動操作情報を含んだ状態通知信号を通信部からサーバへ送信し、当該差をゼロにリセットする。
【００１８】
本発明の第４の態様は、上記スイッチ制御装置が有する１以上のコンピュータを制御部として機能させるためのプログラムに関する。
【発明の効果】
【００１９】
本発明によれば、自由な場所から各電源スイッチを制御することが可能となる。
【図面の簡単な説明】
【００２０】
【図１】図１は、本実施形態に係る電源スイッチ管理サーバを用いた建設現場仮設分電盤遠隔電源スイッチ管理システムの構成の一例を示す図である。
【図２】図２は、本実施形態に係る電源スイッチ管理サーバの構成の一例を示す図である。
【図３】図３は、電源スイッチ管理テーブルを説明するための図である。
【図４】図４は、グループ管理テーブルを説明するための図である。
【図５】図５は、条件管理テーブルを説明するための図である。
【図６】図６は、本実施形態に係るスイッチ制御装置及び電源スイッチシステムの構成例を示す図である。
【図７】図７は、スイッチ制御装置へ制御信号を送信する場合における電源スイッチ管理サーバの処理を説明するためのフローチャートである。
【図８】図８は、スイッチ制御装置の処理の一例を説明するためのフローチャートである。
【図９】図９は、スイッチ制御装置から状態通知信号を受信した場合における電源スイッチ管理サーバの処理の一例を説明するためのフローチャートである。
【図１０】図１０は、携帯装置から要求信号を受信した場合における電源スイッチ管理サーバの処理の一例を説明するためのフローチャートである。
【図１１】図１１は、携帯装置から位置通知信号を受信した場合の処理の一例を説明するためのフローチャートである。
【図１２】図１２は、携帯装置における画面表示の一例を示す図であり、個々の電源スイッチのオンオフを制御する場合の画面表示を示す。
【図１３】図１３は、携帯装置における画面表示の一例を示す図であり、１つの電源スイッチについて制御パターンの条件を設定する場合の画面表示を示す。
【図１４】図１４は、携帯装置における画面表示の一例を示す図であり、グループを一括して制御する場合の画面表示を示す。
【図１５】図１５は、携帯装置における画面表示の一例を示す図であり、位置情報に応じた画面表示を示す。
【発明を実施するための形態】
【００２１】
以下、本発明の実施形態に係わる建設現場仮設分電盤遠隔電源スイッチ管理システムについて説明する。
図１は、本実施形態に係る電源スイッチ管理サーバを用いた建設現場仮設分電盤遠隔電源スイッチ管理システムの構成例を示す図である。図１に示すシステムは、電源スイッチ管理サーバ１０と、携帯装置３０−１及び３０−２と、スイッチ制御装置２０−１及び２０−２と、電源スイッチシステム４０−１及び４０−２とを有する。
スイッチ制御装置２０−１及び２０−２と、電源スイッチシステム４０−１及び４０−２は、例えば、建設現場に配設される。これらは、例えばフル２線式である。
【００２２】
図１に示すシステムにおいて、電源スイッチシステム４０−１及び４０−２（以下、区別せずに「電源スイッチシステム４０」と記す場合がある。）は、ビルや工場などの施設に設けられた複数の電源スイッチ４１（後述の図６を参照）のオンオフを制御するためのシステムであり、施設内における電源系統の関連設備の一部を構成する。
【００２３】
スイッチ制御装置２０−１及び２０−２（以下、区別せずに「スイッチ制御装置２０」と記す場合がある。）は、電源スイッチシステム４０の各電源スイッチ４１のオンオフを電源スイッチ管理サーバ１０からの制御信号に応じて制御するために設けられた装置である。スイッチ制御装置２０は、例えば、部屋の壁に設けられたスイッチ操作用の操作盤などに取り付けられ、電源スイッチシステム４０に接続される。スイッチ制御装置２０は、例えば、ＬＴＥ（Long Term Evolution）などの移動体通信網の基地局８や無線ＬＡＮのアクセスポイントなどと無線通信により接続し、インターネットなどのネットワーク９を介して電源スイッチ管理サーバ１０と通信を行う。
【００２４】
携帯装置３０−１及び３０−２（以下、区別せずに「携帯装置３０」と記す場合がある。）は、スマートホンやタブレット、ノートパソコンなどの可搬型の電子機器であり、基地局８や無線ＬＡＮのアクセスポイントなどと無線通信により接続し、ネットワーク９を介して電源スイッチ管理サーバ１０と通信を行う。携帯装置３０は、ユーザの操作に応じて、各電源スイッチ４１をオンオフさせるための指示を電源スイッチ管理サーバ１０に送信する処理や、各電源スイッチ４１のオンオフ状態に関する情報を電源スイッチ管理サーバ１０から受信して画面に表示する処理を行う。
【００２５】
また携帯装置３０は、ＧＰＳ受信機などの位置情報を取得する手段を備えており、取得した位置情報を定期的に電源スイッチ管理サーバ１０へ通知する機能を有する。
【００２６】
電源スイッチ管理サーバ１０は、インターネットなどのネットワーク９を介して携帯装置３０やスイッチ制御装置２０と通信する機能を持つ。電源スイッチ管理サーバ１０は、携帯装置３０からの指示に応じて電源スイッチ４１をオンオフさせる制御信号をスイッチ制御装置２０に送信する処理や、各電源スイッチ４１のオンオフ状態に関する情報をスイッチ制御装置２０から取得して携帯装置３０に送信する処理などを行う。
【００２７】
以下、図２〜図６を参照して、図１に示すシステムに含まれる各装置の具体的な構成の例を説明する。
【００２８】
［電源スイッチ管理サーバ１０］
図２は、本実施形態に係る電源スイッチ管理サーバ１０の構成の一例を示す図である。図１に示すスイッチ制御装置２０は、通信部１０１と、ディスプレイ装置１０２と、入力装置１０３と、制御部１０４と、記憶部１０５を有する。
【００２９】
通信部１０１は、インターネットなどのネットワーク９を介してスイッチ制御装置２０や携帯装置３０と通信を行う。通信部１０１は、１以上のスイッチ制御装置２０と通信可能であるとともに、１以上の携帯装置３０と通信可能である。通信部１０１は、例えばＷｅｂＳｏｃｋｅｔなどの通信プロトコルによりスイッチ制御装置２０や携帯装置３０との間で通信を行う。
【００３０】
なお通信部１０１は、スイッチ制御装置２０との通信と携帯装置３０との通信とに共通の通信回路を用いてもよいし、少なくとも一部が独立した異なる通信回路を用いてもよい。また、通信部１０１は、スイッチ制御装置２０との通信と携帯装置３０との通信とに共通の通信ネットワークを用いてもよいし、少なくとも一部が独立した異なる通信ネットワークを用いてもよい。
【００３１】
ディスプレイ装置１０２及び入力装置１０３は、システムの管理者が電源スイッチ管理サーバ１０を操作する場合に使用するユーザインターフェース用の装置である。ディスプレイ装置１０２は、例えば液晶ディプレイや有機ＥＬディスプレイなどを含む。入力装置１０３は、例えばキーボードやマウス、タッチパネルなどを含む。
【００３２】
制御部１０４は、電源スイッチ管理サーバ１０の全体的な処理を統括的に司る装置であり、例えば、記憶部１０５に記憶されたプログラムの命令コードに従って処理を実行する１以上のコンピュータを含む。記憶部１０５は、コンピュータのプログラムや、制御部１０４の処理で反復的に使用されるデータ（後述する電源スイッチ管理テーブル１１０、グループ管理テーブル１２０、条件管理テーブル１３０など）や、処理の過程で一時的に使用される変数データなどを記憶する装置である。記憶部１０５は、例えばＲＯＭやＲＡＭ，フラッシュメモリ、ハードディスク、光ディスクなどを含む。
【００３３】
制御部１０４は、記憶部１０５に記憶される電源スイッチ管理テーブル１１０に登録された情報に基づいて、各電源スイッチ４１のオンオフ制御やオンオフ状態の管理を行う。電源スイッチ管理テーブル１１０は、電源スイッチ４１ごとに登録された電源スイッチ管理用のレコードを含んでいる。１つの電源スイッチ４１に対応する１つのレコードは、例えば図３に示すように、スイッチ識別情報１１１と、スイッチ登録情報１１２と、位置情報１１３と、オンオフ状態１１４と、ステータス情報１１５とを含む。
【００３４】
スイッチ識別情報１１１は、各電源スイッチ４１を識別するための情報である。
スイッチ登録情報１１２は、電源スイッチ４１の制御を担っているスイッチ制御装置２０のネットワーク上のアドレスや、制御対象の電源スイッチ４１をスイッチ制御装置２０に対して指定するための情報などを含む。
位置情報１１３は、携帯装置３０の地理的な位置に応じて特定の電源スイッチ４１に関する情報を携帯装置３０に提供する後述の処理で参照される情報であり、位置の範囲（例えば、所定の位置座標から所定の距離以内の範囲など）に関する情報を含む。
オンオフ状態１１４は、電源スイッチ４１がオン状態にあるかオフ状態にあるかを示す。
ステータス情報１１５は、電源スイッチ４１の制御が可能な状態にあるか否かを示す。
【００３５】
制御部１０４は、電源スイッチ４１のオンオフ状態を通知する状態通知信号をスイッチ制御装置２０から受信した場合、状態通知信号が示す電源スイッチ４１のオンオフ状態に応じて、電源スイッチ管理テーブル１１０に登録された電源スイッチ４１のオンオフ状態の情報（オンオフ状態１１４）を更新する。
【００３６】
また制御部１０４は、１以上の電源スイッチ４１のオンオフ状態に関する情報を要求する要求信号を携帯装置３０から受信した場合、当該要求信号において要求された情報（オンオフ状態１１４）を電源スイッチ管理サーバ１０から取得し、要求元の携帯装置３０へ送信する。
【００３７】
制御部１０４は、電源スイッチ４１の遠隔操作に関わる指示を携帯装置３０から受信すると、受信した指示に応じて電源スイッチ４１をオンオフさせる制御信号を生成し、スイッチ制御装置２０に送信する。例えば制御部１０４は、携帯装置３０から受信した指示において制御の対象とされた電源スイッチ４１に関する情報（スイッチ登録情報１１２）を電源スイッチ管理テーブル１１０から取得し、取得した情報に基づいて制御信号を生成する。
【００３８】
制御部１０４は、携帯装置３０から受信した指示に応じて１以上の電源スイッチ４１のオンオフ状態を所望の状態に設定する場合、当該１以上の電源スイッチ４１について電源スイッチ管理テーブル１１０に登録されたオンオフ状態１１４と、当該１以上の電源スイッチ４１に設定するオンオフ状態とを比較する。制御部１０４は、この比較の結果に基づいて、当該１以上の電源スイッチ４１の中から、オンオフ状態を反転すべき電源スイッチ４１を特定する。そして、制御部１０４は、当該特定した電源スイッチ４１のオンオフ状態の反転を指示する制御信号を、当該特定した電源スイッチ４１の制御を行う１以上のスイッチ制御装置２０へ送信する。
【００３９】
例えば、制御部１０４は、特定の電源スイッチ４１を「オン」に設定する指示を携帯装置３０から受信した場合、当該特定の電源スイッチ４１について電源スイッチ管理テーブル１１０に登録されたオンオフ状態１１４を取得する。そして、制御部１０４は、取得したオンオフ状態１１４が「オフ」を示す場合、当該特定の電源スイッチ４１のオンオフ状態を「オフ」から「オン」へ反転させる制御信号をスイッチ制御装置２０へ送信する。一方、取得したオンオフ状態１１４が「オン」を示す場合、制御部１０４は、オンオフ状態の反転を指示する制御信号を送信しない。
【００４０】
制御部１０４は、携帯装置３０から受信した指示に応じて個々の電源スイッチ４１のオンオフを制御する他、複数の電源スイッチ４１を一括して制御する「グループ制御」を行う。制御部１０４は、複数の電源スイッチ４１からなるグループを一括して制御する「グループ制御」の指示を携帯装置３０から受信した場合、グループに属する各電源スイッチ４１をオンオフさせる制御信号を１以上のスイッチ制御装置２０に送信する。
【００４１】
制御部１０４は、記憶部１０５に記憶されるグループ管理テーブル１２０に登録された情報に基づいてグループ制御を行う。グループ管理テーブル１２０は、制御対象の電源スイッチ４１のグループごとにグループ管理用のレコードを含んでいる。１つのグループに対応する１つのレコードは、例えば図４に示すように、各グループを識別するためのグループ識別情報１２１と、グループ名１２２と、グループに所属する各電源スイッチ４１を示す所属スイッチ情報１２３とを含む。
【００４２】
また制御部１０４は、予め設定された条件を満たした場合に特定の電源スイッチ４１のオンオフを制御する「条件制御」を行う。制御部１０４は、携帯装置３０から受信した指示に基づいて予め設定された所定の条件（例えば時間）を満たしたか否か判定し、条件を満たした場合、１以上の電源スイッチ４１をオンオフさせる制御信号を１以上のスイッチ制御装置２０に送信する。
【００４３】
制御部１０４は、記憶部１０５に記憶される条件管理テーブル１３０に登録された情報に基づいて条件制御を行う。条件管理テーブル１３０は、設定された条件ごとに条件管理用のレコードを含んでいる。１つの条件に対応する１つのレコードは、例えば図５に示すように、個々の設定された条件を識別するための条件識別情報１３１と、条件名１３２と、制御対象となる個々の電源スイッチ４１若しくはグループを示すグループ／スイッチ情報１３３と、条件内容１３４とを含む。
【００４４】
更に制御部１０４は、１つのスイッチ制御装置２０の位置を通知する位置通知信号を受信した場合、位置通知信号が示す当該１つの携帯装置２０の位置と、電源スイッチ管理テーブル１１０に登録される各電源スイッチ４１の位置情報１１３（図３）とを照合する。位置通知信号が示す当該１つの携帯装置２０の位置が、電源スイッチ管理テーブル１１０に登録される位置情報１１３において指定された範囲に含まれる場合、制御部１０４は、この位置情報１１３に関連付けられたスイッチ識別情報１１１に対応する電源スイッチ４１に関する情報を電源スイッチ管理テーブル１１０から取得し、「電源スイッチ情報」として当該１つの携帯装置２０に送信する。例えば、制御部１０４は、１以上の電源スイッチ４１に関する電源スイッチ情報を１つの携帯装置２０に送信する場合、当該１以上の電源スイッチ４１のオンオフ状態に関する情報（オンオフ状態１１４）を電源スイッチ管理テーブル１１０から取得し、当該取得した情報が含まれた電源スイッチ情報を送信する。
【００４５】
［スイッチ制御装置２０］
図６は、スイッチ制御装置２０及び電源スイッチシステム４０の構成例を示す図である。図６に示すスイッチ制御装置２０は、通信部２０１と、インターフェース部２０３−１及び２０３−２（以下、区別せずに「インターフェース部２０３」と記す場合がある。）と、制御モジュール２１０−１及び２１０−２（以下、区別せずに「制御モジュール２１０」と記す場合がある。）とを有する。
【００４６】
通信部２０１は、ＬＴＥなどの移動体通信網の基地局８や無線ＬＡＮのアクセスポイントなどと無線通信により接続し、インターネットなどのネットワーク９を介して電源スイッチ管理サーバ１０と通信を行う。
【００４７】
制御モジュール２１０は、電源スイッチシステム４０の後述する手動操作装置４００ごとに設けられた装置であり、電源スイッチ４１のオンオフ状態を示す状態信号を手動操作装置４００から入力する処理や、電源スイッチ４１をオンオフさせるための駆動信号を手動操作装置４００へ出力する処理を行う。制御モジュール２１０は、インターフェース部２０３を介してＲＳ４８５などの通信バス２０２に接続されており、通信バス２０２を通じて通信部２０１と信号をやり取りする。
【００４８】
制御モジュール２１０は、図６の例において、入力部２１１と、出力部２１２と、制御部２１３と、記憶部２１４を含む。入力部２１１は、後述する手動操作装置４００の状態出力部４０１から、１以上の電源スイッチ４１のオンオフ状態を示す状態信号を入力する。出力部２１２は、１以上の電源スイッチ４１をオンオフさせるための駆動信号を後述の手動操作装置４００の操作入力部４０２へ出力する。
【００４９】
制御部２１３は、制御モジュール２１０の全体的な処理を司る装置であり、例えば、記憶部２１４に記憶されたプログラムの命令コードに従って処理を実行する１以上のコンピュータを含む。記憶部２１４は、コンピュータのプログラムや、制御部２１３の処理で反復的に使用されるデータや、処理の過程で一時的に使用される変数データなどを記憶する装置である。記憶部２１４は、例えばＲＯＭやＲＡＭ，フラッシュメモリなどを含む。
【００５０】
制御部２１３は、１つの電源スイッチ４１のオンオフ状態を反転するように指示する電源スイッチ管理サーバ１０からの制御信号を通信部２０１において受信し、通信バス２０２を介して制御信号を入力した場合、当該１つの電源スイッチ４１のオンオフ状態を反転させる駆動信号を出力部２１２から出力する。また、制御部２１３は、入力部２１１において状態信号（電源スイッチ４１のオンオフ状態を示す信号）を入力した場合、これを最近の状態信号として記憶部２１４に書き込む。
【００５１】
制御部２１３は、入力部２１１において状態信号を反復的に入力し、当該入力した状態信号と記憶部２１４に記憶される最近の状態信号とを比較する。入力部２１１において入力した状態信号と記憶部２１４に記憶される最近の状態信号とが不一致の場合、制御部２１３は、記憶部２１４に記憶される最近の状態信号を入力部２１１から入力した状態信号によって更新する。またこの場合、制御部２１３は、当該更新後の状態信号に基づいて、１以上の電源スイッチ４１のオンオフ状態を示す状態通知信号を生成し、生成した状態通知信号を通信部２０１から電源スイッチ管理サーバ１０へ送信する。
【００５２】
［電源スイッチシステム４０］
図６に示す電源スイッチシステム４０は、手動操作装置４００−１及び４００−２（以下、区別せずに「手動操作装置４００」と記す場合がある。）と、コントローラ４２０と、スイッチ駆動装置４３０−１〜４３０−３（以下、区別せずに「スイッチ駆動装置４３０」と記す場合がある。）とを有する。
【００５３】
手動操作装置４００は、部屋の壁などに設けられたスイッチ操作用の操作盤に搭載される装置であり、図６の例において、状態出力部４０１と、操作入力部４０２と、通信部４０３を含む。状態出力部４０１は、各電源スイッチ４１のオンオフ状態に関する状態信号を出力する回路であり、例えば電源スイッチ４１のオンオフ状態に応じてＬＥＤなどの発光素子を駆動する信号を状態信号として出力する。操作入力部４０２は、ユーザが入力操作を行うための装置であり、押しボタンやタッチセンサなどを含む。制御モジュール２１０の出力部２１２は、操作入力部４０２において押しボタン等が操作された場合と等価な信号を操作入力部４０２の回路に入力する。通信部４０３は、通信バス４１０（フル２線式）を介してコントローラ４２０と通信を行い、操作入力部４０２において入力された各電源スイッチ４１の駆動信号をコントローラ４２０へ送信する処理や、各電源スイッチ４１のオンオフ状態を示す状態信号をコントローラ４２０から受信して状態出力部４０１に出力する処理を行う。
【００５４】
コントローラ４２０は、通信バス４１０における通信を制御する。コントローラ４２０は、手動操作装置４００の操作入力部４０２において入力された電源スイッチ４１の駆動信号を当該電源スイッチ４１の駆動を担うスイッチ駆動装置４３０へ伝送する処理や、各電源スイッチ４１の駆動状態（オンオフ状態）をスイッチ駆動装置４３０から手動操作装置４００へ伝送する処理を行う。
【００５５】
スイッチ駆動装置４３０は、通信バス４１０から入力される駆動信号に応じて電源スイッチ４１（リレー等）を駆動するとともに、各電源スイッチ４１のオンオフ状態を示す状態信号を通信バス４１０へ出力する。
【００５６】
ここで、上述した構成を有する本実施形態に係るシステムの動作について、図７〜図１１を参照して説明する。
【００５７】
図７は、スイッチ制御装置２０へ制御信号を送信する場合における電源スイッチ管理サーバ１０の処理を説明するためのフローチャートである。電源スイッチ管理サーバ１０は、図７に示す処理を反復的に実行する。
【００５８】
電源スイッチ管理サーバ１０は、電源スイッチ４１のオンオフ制御に関する携帯装置３０から指示を監視するとともに（ＳＴ１００）、条件管理テーブル１３０（図５）に登録された条件を満たしたか否かを監視する（ＳＴ１０５）。携帯装置３０からオンオフ制御の指示を受信した場合や（ＳＴ１００のＹｅｓ）、条件管理テーブル１３０に登録された条件を満たした場合（ＳＴ１０５のＹｅｓ）、電源スイッチ管理サーバ１０は、制御対象の電源スイッチ４１について電源スイッチ管理テーブル１１０（図３）に登録されたオンオフ状態１１４と、携帯装置３０からの指示若しくは条件管理テーブル１３０の条件内容１３４に基づいて設定するオンオフ状態とを比較し、オンオフ状態を反転すべき電源スイッチ４１を特定する（ＳＴ１１０）。そして、電源スイッチ管理サーバ１０は、特定した電源スイッチ４１のオンオフ状態の反転を指示する制御信号を、当該電源スイッチ４１の制御を担うスイッチ制御装置２０へ送信する（ＳＴ１１５）。
【００５９】
図８は、スイッチ制御装置２０の処理の一例を説明するためのフローチャートである。
スイッチ制御装置２０の制御部２１３は、各電源スイッチ４１のオンオフ状態を示す状態信号を入力部２１１において取得し、最近の状態信号として記憶部２１４に格納する（ＳＴ２０５）。最近の状態信号を記憶部２１４に格納すると、制御部２１３は、その最近の状態信号に基づいて状態通知信号を生成し（ＳＴ２１０）、通信部２０１から電源スイッチ管理サーバ１０へ送信する（ＳＴ２３０）。その後、制御部２１３は、入力部２１１において状態信号を取得し、この取得した状態信号と記憶部２１４に記憶した最近の状態信号とを比較する処理を繰り返す状態監視モードに移行する（ＳＴ２３５）。記憶部２１４に記憶した最近の状態信号と入力部２１１において取得した状態信号とが不一致の場合（ＳＴ２４０のＮｏ）、制御部２１３は上述したステップＳＴ２０５へ移行し、最近の状態信号の更新（ＳＴ２０５）及び状態通知信号の送信（ＳＴ２１０，ＳＴ２３０）を行ったのち、再び状態監視モードに戻る（ＳＴ２３５）。
【００６０】
通信部２０１において電源スイッチ管理サーバ１０からの信号が受信され、この信号が通信部２０１から通信バス２０２を介してインターフェース部２０３に入力された場合、制御部２１３は割り込み処理に移行する（ＳＴ２５０）。電源スイッチ管理サーバ１０から受信した信号がオンオフ状態の通知を要求する信号であった場合（ＳＴ２５５のＹｅｓ）、制御部２１３はステップＳＴ２０５へ移行し、最近の状態信号の更新（ＳＴ２０５）及び状態通知信号の送信（ＳＴ２１０，ＳＴ２３０）を行ったのち、状態監視モードに戻る（ＳＴ２３５）。電源スイッチ管理サーバ１０から受信した信号が電源スイッチ４１のオンオフ制御を指示する制御信号であった場合（ＳＴ２６０のＹｅｓ）、制御部２１３は、制御信号に応じた駆動信号を出力部２１２から手動操作装置４００へ出力し（ＳＴ２６５）、状態監視モードに戻る（ＳＴ２３５）。電源スイッチ管理サーバ１０から受信した信号が他の信号であった場合、制御部２１３は特に処理を行わず、状態監視モードに戻る（ＳＴ２３５）。
【００６１】
図９は、スイッチ制御装置２０から状態通知信号を受信した場合における電源スイッチ管理サーバ１０の処理の一例を説明するためのフローチャートである。電源スイッチ管理サーバ１０は、図９に示す処理を反復的に実行する。電源スイッチ４１のオンオフ状態を通知する状態通知信号（図８のＳＴ２１０）をスイッチ制御装置２０から受信した場合（ＳＴ３００のＹｅｓ）、電源スイッチ管理サーバ１０は、この電源スイッチ４１について電源スイッチ管理テーブル１１０に登録されるオンオフ状態１１４を更新する（ＳＴ３３５）。
【００６２】
図１０は、携帯装置３０から要求信号を受信した場合における電源スイッチ管理サーバ１０の処理の一例を説明するためのフローチャートである。電源スイッチ管理サーバ１０は、図１０に示す処理を反復的に実行する。１以上の電源スイッチ４１のオンオフ状態に関する情報を要求する要求信号を携帯装置３０から受信した場合（ＳＴ４００のＹｅｓ）、電源スイッチ管理サーバ１０は、要求信号において要求された情報（オンオフ状態１１４）を電源スイッチ管理テーブル１１０から取得し、要求元の携帯装置３０へ送信する（ＳＴ４０５）。
【００６３】
図１１は、携帯装置３０から位置通知信号を受信した場合の処理の一例を説明するためのフローチャートである。電源スイッチ管理サーバ１０は、図１１に示す処理を反復的に実行する。携帯装置３０から位置通知信号を受信した場合（ＳＴ５００のＹｅｓ）、電源スイッチ管理サーバ１０は、受信した位置通知信号が示す携帯装置２０の位置と、電源スイッチ管理テーブル１１０に登録される各電源スイッチ４１の位置情報１１３（図３）とを照合する。位置通知信号が示す携帯装置２０の位置が、電源スイッチ管理テーブル１１０に登録される位置情報１１３において指定された範囲に含まれる場合（ＳＴ５０５のＹｅｓ）、電源スイッチ管理サーバ１０は、この位置情報１１３に関連付けられたスイッチ識別情報１１１に対応する電源スイッチ４１に関する情報（オンオフ状態１１４など）を電源スイッチ管理テーブル１１０から取得し、電源スイッチ情報として携帯装置２０に送信する（ＳＴ５１０）。
【００６４】
図１２〜図１５は、携帯装置３０における画面表示の一例を示す図である。
図１２は、１つの手動操作装置４００において操作される８つの電源スイッチのオンオフを遠隔操作する場合の画面３１の例を示す。この例に示す画面３１では、「ＳＷ−１」の符号で表される「１Ｆ荷下ろし」という名称の操作盤（手動操作装置４００）における８つの電源スイッチのオンオフ制御が行われる。画面上における「ＯＮ」「ｏｆｆ」で表されたボタンは、電源スイッチ管理サーバ１０に登録された電源スイッチ４１のオンオフ状態を表している。これらのボタンをタッチ操作することによって、オンオフ制御を指示する信号が携帯装置３０から電源スイッチ管理サーバ１０へ送信される。
【００６５】
図１３は、図１２に示す画面表示における１つの電源スイッチ４１について制御パターンの条件を設定する場合の画面表示を示す。例えば、図１２に示す画面表示において番号「２」の電源スイッチ４１の設定を行うために「２」のボタンをタッチ操作すると、ウィンドウ３１０が開き、このウィンドウ３１０の中で電源スイッチ４１をオンオフさせる時刻や曜日、日付などを入力することができる。また、１つの電源スイッチ４１について複数のパターンを登録することもできる。
【００６６】
図１４は、グループを一括して制御する場合の画面表示の例を示す。図１４の例では、登録された４つのグループが表示されている。グループ名の表示の左右両側に配置されたボタンをタッチ操作することにより、グループを一括してオンオフ制御することができる。また、グループの番号を表すボタンをタッチ操作することにより、グループを構成する電源スイッチ４１の設定や、図１３と同様なオンオフ時間の条件の設定を行うこともできる。
【００６７】
図１５は、位置情報に応じた画面表示の例を示す。ＧＰＳの受信信号などに基づいて取得された携帯装置３０の位置が電源スイッチ管理テーブル１１０に登録された位置情報１１３の設定範囲内に入った場合、その位置情報１１３に対応する電源スイッチ４１の情報が電源スイッチ管理サーバ１０から携帯装置３０へ送信され、携帯装置３０の画面に表示される。図１５の例では、個別の電源スイッチ４１の情報を示す欄３３１と、電源スイッチ４１のグループの情報を示す欄３３２が表示されている。
【００６８】
以上説明したように、本実施形態によれば、１以上の電源スイッチ４１の遠隔操作に関わる指示が携帯装置３０から電源スイッチ管理サーバ１０へ送信されると、この指示に応じた制御信号が電源スイッチ管理サーバ１０から１以上のスイッチ制御装置２０に送信され、この制御信号を受信したスイッチ制御装置２０によって電源スイッチ４１のオンオフが制御される。従って、自由な場所から携帯装置３０を用いて１以上の電源スイッチ４１のオンオフを制御することが可能となる。
【００６９】
なお、本発明は上述した実施形態にのみ限定されるものではなく、種々のバリエーションを含んでいる。
【００７０】
上述した実施形態において、手動操作装置４００は、ボタンの押下などによる手動の操作と、電源スイッチ管理サーバ１０からの制御信号による遠隔操作の両方が可能である。そこで、以下に述べる変形例において、電源スイッチ管理サーバ１０の制御部１０４は、各電源スイッチ４１のオンオフ状態が変化した要因（手動操作、遠隔操作）を判定し、電源スイッチ管理テーブル１１０のステータス情報１１５に登録してもよい。
【００７１】
例えば制御部１０４は、電源スイッチ４１のオンオフ状態の反転を指示する制御信号を１つのスイッチ制御装置２０に送信した場合、当該制御信号を送信した後の所定の監視期間において、電源スイッチ４１のオンオフ状態を反転させたことに伴って当該１のスイッチ制御装置から送信されるべき状態通知信号の受信を監視する。当該１のスイッチ制御装置２０から送信されるべき状態通知信号が監視期間において受信されなかった場合、制御部１０４は、当該１のスイッチ制御装置が制御信号に対して未応答であると判定し、この判定結果を電源スイッチ管理テーブル１１０のステータス情報１１５に登録する。
【００７２】
また、制御部１０４は、１つのスイッチ制御装置２０から監視期間以外の期間に状態通知信号を受信した場合、制御信号以外の要因で電源スイッチ４１のオンオフ状態が反転したと判定し、この判定結果を電源スイッチ管理テーブル１１０のステータス情報１１５に登録する。
【００７３】
更に、制御部１０４は、１つのスイッチ制御装置２０から監視期間以外の期間に状態通知信号を受信した場合、電源スイッチ４１のオンオフ状態が手動操作により反転したことを示す「手動操作情報」が状態通知信号に含まれているならば、電源スイッチ４１のオンオフ状態が手動操作により反転したと判定し、手動操作情報が状態通知信号に含まれていないならば、手動操作以外の要因で電源スイッチ４１のオンオフ状態が反転したと判定する。
【００７４】
ここで「手動操作情報」は、スイッチ制御装置２０の制御部２１３が手動操作の有無を判定した結果に基づいて状態通知信号に付加する情報である。制御部２１３は、制御信号の受信に伴って出力部２１２から駆動信号を出力した駆動信号出力回数と、入力部２１１から入力した状態信号と記憶部２１４に記憶される最近の状態信号との不一致が生じた不一致発生回数との差を監視する。不一致発生回数が駆動信号出力回数に比べて多い場合、手動操作によるオンオフ状態の変化が生じているため、制御部２１３は、電源スイッチ４１のオンオフ状態が手動操作により反転したことを示す手動操作情報を含んだ状態通知信号を生成し、通信部２０１から電源スイッチ管理サーバ１０へ送信する。また、手動操作情報を含んだ状態通知信号を送信した場合、不一致発生回数と駆動信号出力回数との差をゼロにリセットして、当該差の監視を継続する。
【００７５】
これにより、電源スイッチ４１のオンオフ状態の変化が手動操作や遠隔操作以外の要因（例えば不正アクセス）によって発生したことを判定することが可能となり、携帯装置３０へ警告を通知したり、ログとして履歴を残すことができる。
【符号の説明】
【００７６】
１０…電源スイッチ管理サーバ、１０１…通信部、１０２…ディスプレイ装置、１０３…入力装置、１０４…制御部、１０５…記憶部、１１０…電源スイッチ管理テーブル、１２０…グループ管理テーブル、１３０…条件管理テーブル、２０…スイッチ制御装置、２０１…通信部、２０２…通信バス、２０３…インターフェース部、２１０…制御モジュール、２１１…入力部、２１２…出力部、２１３…制御部、２１４…記憶部、３０…携帯装置、３１…画面、４０…電源スイッチシステム、４１…電源スイッチ、４００…手動操作装置、４０１…状態出力部、４０２…操作入力部、４０３…通信部、４１０…通信バス、４２０…コントローラ、４３０…スイッチ駆動装置、７…負荷、８…基地局、９…ネットワーク
【図１】
2020088733.tif 000003
【図２】
2020088733.tif 000004
【図３】
2020088733.tif 000005
【図４】
2020088733.tif 000006
【図５】
2020088733.tif 000007
【図６】
2020088733.tif 000008
【図７】
2020088733.tif 000009
【図８】
2020088733.tif 000010
【図９】
2020088733.tif 000011
【図１０】
2020088733.tif 000012
【図１１】
2020088733.tif 000013
【図１２】
2020088733.tif 000014
【図１３】
2020088733.tif 000015
【図１４】
2020088733.tif 000016
【図１５】
2020088733.tif 000017
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
１以上の電源スイッチのオンオフを制御する１以上のスイッチ制御装置と通信可能であるとともに、前記電源スイッチの遠隔操作に関わる指示を送信する１以上の携帯装置と通信可能な通信部と、
複数の前記電源スイッチからなるグループを一括して制御する前記指示を前記携帯装置から受信した場合、前記グループに属する各前記電源スイッチをオンオフさせる制御信号を１以上の前記スイッチ制御装置に送信するグループ制御と、前記携帯装置から受信した前記指示に基づいて設定された時間の条件を満たしたか否か判定し、前記条件を満たした場合、１以上の前記電源スイッチをオンオフさせる前記制御信号を１以上の前記スイッチ制御装置に送信する条件制御との少なくとも一方を行う制御部と、
各前記電源スイッチのオンオフ状態を登録し、前記電源スイッチの識別情報に関連付けられた位置情報を含む電源スイッチ管理テーブルを記憶する記憶部と
を有し、
前記制御部は、
前記電源スイッチのオンオフ状態を通知する状態通知信号を前記スイッチ制御装置から受信した場合、前記状態通知信号が示す前記電源スイッチのオンオフ状態に応じて、前記電源スイッチ管理テーブルに登録された前記電源スイッチのオンオフ状態を更新し、
１以上の前記電源スイッチのオンオフ状態に関する情報を要求する要求信号を前記携帯装置から受信した場合、当該要求信号において要求された情報を前記電源スイッチ管理テーブルから取得し、要求元の前記携帯装置へ送信し、
１つの前記携帯装置の位置を通知する位置通知信号を受信した場合、当該位置通知信号が示す当該１つの携帯装置の位置が前記電源スイッチ管理テーブルに登録される前記位置情報において指定された範囲に含まれるならば、当該位置情報に関連付けられた前記識別情報に対応する前記電源スイッチに関する情報を電源スイッチ情報として当該１つの携帯装置に送信する、
電源スイッチ管理サーバ。
【請求項２】
前記制御部は、１以上の前記電源スイッチに関する前記電源スイッチ情報を１つの前記携帯装置に送信する場合、当該１以上の電源スイッチのオンオフ状態に関する情報を前記電源スイッチ管理テーブルから取得し、当該取得した情報が含まれた前記電源スイッチ情報を送信する、
請求項１に記載の電源スイッチ管理サーバ。
【請求項３】
前記制御部は、前記携帯装置から受信した前記指示に応じて１以上の前記電源スイッチのオンオフ状態を所望の状態に設定する場合、当該１以上の電源スイッチについて前記電源スイッチ管理テーブルに登録されたオンオフ状態と、当該１以上の電源スイッチに設定するオンオフ状態とを比較し、当該比較の結果に基づいて、当該１以上の電源スイッチの中からオンオフ状態を反転すべき前記電源スイッチを特定し、当該特定した電源スイッチのオンオフ状態の反転を指示する前記制御信号を、当該特定した電源スイッチの制御を行う１以上の前記スイッチ制御装置へ送信する、
請求項２に記載の電源スイッチ管理サーバ。
【請求項４】
前記制御部は、
前記電源スイッチのオンオフ状態の反転を指示する前記制御信号を１つの前記スイッチ制御装置に送信した場合、当該制御信号を送信した後の所定の監視期間において、前記電源スイッチのオンオフ状態を反転させたことに伴って当該１のスイッチ制御装置から送信されるべき前記状態通知信号の受信を監視し、
当該１のスイッチ制御装置から送信されるべき前記状態通知信号が前記監視期間において受信されなかった場合、当該１のスイッチ制御装置が前記制御信号に対して未応答であると判定する、
請求項３に記載の電源スイッチ管理サーバ。
【請求項５】
前記制御部は、１つの前記スイッチ制御装置から前記監視期間以外の期間に前記状態通知信号を受信した場合、前記制御信号以外の要因で前記電源スイッチのオンオフ状態が反転したと判定する、
請求項４に記載の電源スイッチ管理サーバ。
【請求項６】
前記制御部は、１つの前記スイッチ制御装置から前記監視期間以外の期間に前記状態通知信号を受信した場合、
前記電源スイッチのオンオフ状態が手動操作により反転したことを示す手動操作情報が前記状態通知信号に含まれているならば、前記電源スイッチのオンオフ状態が手動操作により反転したと判定し、
前記手動操作情報が前記状態通知信号に含まれていないならば、手動操作以外の要因で前記電源スイッチのオンオフ状態が反転したと判定する、
請求項５記載の電源スイッチ管理サーバ。
【請求項７】
請求項１〜６のいずれか一項に記載の電源スイッチ管理サーバが有する１以上のコンピュータを前記制御部として機能させるためのプログラム。
【請求項８】
１以上の電源スイッチのオンオフを制御するスイッチ制御装置であって、
サーバと通信可能な通信部と、
前記１以上の電源スイッチのオンオフ状態を示す状態信号を入力する入力部と、
前記１以上の電源スイッチをオンオフさせるための駆動信号を出力する出力部と、
１つの前記電源スイッチのオンオフ状態を反転するように指示する前記サーバからの制御信号を前記通信部において受信した場合、当該１つの電源スイッチのオンオフ状態を反転させる前記駆動信号を前記出力部から出力する制御部と、
前記入力部において入力される前記状態信号を記憶する記憶部とを有し、
前記制御部は、
前記入力部において前記状態信号を反復的に入力し、当該入力した状態信号と前記記憶部に記憶される前記状態信号とを比較し、当該入力した状態信号と前記記憶される状態信号とが不一致の場合、前記記憶される状態信号を当該入力した状態信号によって更新するとともに、当該更新後の状態信号に基づいて、前記１以上の電源スイッチのオンオフ状態を示す状態通知信号を生成し、生成した状態通知信号を前記通信部から前記サーバへ送信し、
前記制御信号の受信に伴って前記出力部から前記駆動信号を出力した駆動信号出力回数と、前記入力部から入力した前記状態信号と前記記憶部に記憶される前記状態信号との不一致が生じた不一致発生回数との差を監視し、前記不一致発生回数が前記駆動信号出力回数に比べて多い場合、前記電源スイッチのオンオフ状態が手動操作により反転したことを示す手動操作情報を含んだ前記状態通知信号を前記通信部から前記サーバへ送信し、当該差をゼロにリセットする、
スイッチ制御装置。
【請求項９】
請求項８に記載のスイッチ制御装置が有する１以上のコンピュータを前記制御部として機能させるためのプログラム。
【手続補正３】
【補正対象書類名】明細書
【補正対象項目名】０００５
【補正方法】変更
【補正の内容】
【０００５】
本発明の電源スイッチ管理サーバは、１以上の電源スイッチのオンオフを制御する１以上のスイッチ制御装置と通信可能であるとともに、前記電源スイッチの遠隔操作に関わる指示を送信する１以上の携帯装置と通信可能な通信部と、複数の前記電源スイッチからなるグループを一括して制御する前記指示を前記携帯装置から受信した場合、前記グループに属する各前記電源スイッチをオンオフさせる前記制御信号を１以上の前記スイッチ制御装置に送信するグループ制御と、前記携帯装置から受信した前記指示に基づいて設定された時間の条件を満たしたか否か判定し、前記条件を満たした場合、１以上の前記電源スイッチをオンオフさせる前記制御信号を１以上の前記スイッチ制御装置に送信する条件制御との少なくとも一方を行う制御部と、各前記電源スイッチのオンオフ状態を登録し、前記電源スイッチの識別情報に関連付けられた位置情報を含む電源スイッチ管理テーブルを記憶する記憶部とを有し、前記制御部は、前記電源スイッチのオンオフ状態を通知する状態通知信号を前記スイッチ制御装置から受信した場合、前記状態通知信号が示す前記電源スイッチのオンオフ状態に応じて、前記電源スイッチ管理テーブルに登録された前記電源スイッチのオンオフ状態を更新し、１以上の前記電源スイッチのオンオフ状態に関する情報を要求する要求信号を前記携帯装置から受信した場合、当該要求信号において要求された情報を前記電源スイッチ管理テーブルから取得し、要求元の前記携帯装置へ送信し、１つの前記携帯装置の位置を通知する位置通知信号を受信した場合、当該位置通知信号が示す当該１つの携帯装置の位置が前記電源スイッチ管理テーブルに登録される前記位置情報において指定された範囲に含まれるならば、当該位置情報に関連付けられた前記識別情報に対応する前記電源スイッチに関する情報を電源スイッチ情報として当該１つの携帯装置に送信する。
【手続補正４】
【補正対象書類名】明細書
【補正対象項目名】０００６
【補正方法】変更
【補正の内容】
【０００６】
好適には、前記制御部は、１以上の前記電源スイッチに関する前記電源スイッチ情報を１つの前記携帯装置に送信する場合、当該１以上の電源スイッチのオンオフ状態に関する情報を前記電源スイッチ管理テーブルから取得し、当該取得した情報が含まれた前記電源スイッチ情報を送信する。
【手続補正５】
【補正対象書類名】明細書
【補正対象項目名】０００７
【補正方法】変更
【補正の内容】
【０００７】
好適には、前記制御部は、前記携帯装置から受信した前記指示に応じて１以上の前記電源スイッチのオンオフ状態を所望の状態に設定する場合、当該１以上の電源スイッチについて前記電源スイッチ管理テーブルに登録されたオンオフ状態と、当該１以上の電源スイッチに設定するオンオフ状態とを比較し、当該比較の結果に基づいて、当該１以上の電源スイッチの中からオンオフ状態を反転すべき前記電源スイッチを特定し、当該特定した電源スイッチのオンオフ状態の反転を指示する前記制御信号を、当該特定した電源スイッチの制御を行う１以上の前記スイッチ制御装置へ送信する。
【手続補正６】
【補正対象書類名】明細書
【補正対象項目名】０００８
【補正方法】変更
【補正の内容】
【０００８】
好適には、前記制御部は、前記電源スイッチのオンオフ状態の反転を指示する前記制御信号を１つの前記スイッチ制御装置に送信した場合、当該制御信号を送信した後の所定の監視期間において、前記電源スイッチのオンオフ状態を反転させたことに伴って当該１のスイッチ制御装置から送信されるべき前記状態通知信号の受信を監視し、当該１のスイッチ制御装置から送信されるべき前記状態通知信号が前記監視期間において受信されなかった場合、当該１のスイッチ制御装置が前記制御信号に対して未応答であると判定する。
【手続補正７】
【補正対象書類名】明細書
【補正対象項目名】０００９
【補正方法】変更
【補正の内容】
【０００９】
好適には、前記制御部は、１つの前記スイッチ制御装置から前記監視期間以外の期間に前記状態通知信号を受信した場合、前記制御信号以外の要因で前記電源スイッチのオンオフ状態が反転したと判定する。
【手続補正８】
【補正対象書類名】明細書
【補正対象項目名】００１０
【補正方法】変更
【補正の内容】
【００１０】
好適には、前記制御部は、１つの前記スイッチ制御装置から前記監視期間以外の期間に前記状態通知信号を受信した場合、前記電源スイッチのオンオフ状態が手動操作により反転したことを示す手動操作情報が前記状態通知信号に含まれているならば、前記電源スイッチのオンオフ状態が手動操作により反転したと判定し、前記手動操作情報が前記状態通知信号に含まれていないならば、手動操作以外の要因で前記電源スイッチのオンオフ状態が反転したと判定する。
【手続補正９】
【補正対象書類名】明細書
【補正対象項目名】００１１
【補正方法】変更
【補正の内容】
【００１１】
本発明のプログラムは、上記電源スイッチ管理サーバが有する１以上のコンピュータを前記制御部として機能させる。
【手続補正１０】
【補正対象書類名】明細書
【補正対象項目名】００１２
【補正方法】変更
【補正の内容】
【００１２】
本発明のスイッチ制御装置は、１以上の電源スイッチのオンオフを制御するスイッチ制御装置であって、サーバと通信可能な通信部と、前記１以上の電源スイッチのオンオフ状態を示す状態信号を入力する入力部と、前記１以上の電源スイッチをオンオフさせるための駆動信号を出力する出力部と、１つの前記電源スイッチのオンオフ状態を反転するように指示する前記サーバからの制御信号を前記通信部において受信した場合、当該１つの電源スイッチのオンオフ状態を反転させる前記駆動信号を前記出力部から出力する制御部と、前記入力部において入力される前記状態信号を記憶する記憶部とを有し、前記制御部は、前記入力部において前記状態信号を反復的に入力し、当該入力した状態信号と前記記憶部に記憶される前記状態信号とを比較し、当該入力した状態信号と前記記憶される状態信号とが不一致の場合、前記記憶される状態信号を当該入力した状態信号によって更新するとともに、当該更新後の状態信号に基づいて、前記１以上の電源スイッチのオンオフ状態を示す状態通知信号を生成し、生成した状態通知信号を前記通信部から前記サーバへ送信し、前記制御信号の受信に伴って前記出力部から前記駆動信号を出力した駆動信号出力回数と、前記入力部から入力した前記状態信号と前記記憶部に記憶される前記状態信号との不一致が生じた不一致発生回数との差を監視し、前記不一致発生回数が前記駆動信号出力回数に比べて多い場合、前記電源スイッチのオンオフ状態が手動操作により反転したことを示す手動操作情報を含んだ前記状態通知信号を前記通信部から前記サーバへ送信し、当該差をゼロにリセットする。
【手続補正１１】
【補正対象書類名】明細書
【補正対象項目名】００１３
【補正方法】変更
【補正の内容】
【００１３】
本発明のプログラムは、上記スイッチ制御装置が有する１以上のコンピュータを前記制御部として機能させる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】